(57)【特許請求の範囲】
【請求項１】
下記の構成要件（Ａ01）〜（Ａ010）を備えたことを特徴とするホルダ支持装置、
（Ａ01）互いに直交する前後方向のＸ軸、左右方向のＹ軸および上下方向のＺ軸の中の前記Ｚ軸に沿った荷電粒子線の通路の外側を囲むように配置され且つ内部が真空に保持された外壁、
（Ａ02）前記外壁をＸ軸方向に貫通し且つＸ軸回りに回転可能に支持された円筒状の回転部材、
（Ａ03）前記回転部材の内端側に配置され、前記Ｘ軸線を中心線とするホルダ貫通孔を有し且つ中心が前記Ｘ軸線上に有る球面軸受、
（Ａ04）内端部に試料保持部を有し外周面に突出したピンを有するホルダの前端部が回転およびスライド可能に貫通するホルダ貫通孔を有し前記球面軸受により回転可能に支持された球体部と、ホルダ貫通孔を有する内筒が回転可能に貫通し且つ前端部にシールリング装着溝が形成された内筒貫通孔および前記ホルダのピンの先端部をガイドするピン先端ガイド孔とを有する円筒部とを備え、前記円筒部の前端部の外周部と球体部後端部の外周部とが気密に連結され前記円筒部の前端部の外周部および球体部後端部の外周部の内側に排気可能な予備排気室が形成され、前記回転部材により前記球面軸受の中心回りに上下方向および左右方向に回動可能且つＸ軸周りに回動可能に支持された外筒であって、前記ピン先端ガイド孔は前記ピンの先端部を前記内筒貫通孔の外端から軸方向にガイドする外端側軸方向ガイド孔と円周方向にガイドする円周方向ガイド孔と軸方向内端側にガイドする内端側軸方向ガイド孔とが順次接続して形成された前記外筒、
（Ａ05）前記ホルダがスライドおよび回転可能且つ気密に貫通するホルダ貫通孔と、前記ホルダ貫通孔に挿入される前記ホルダのピンが前記ホルダ貫通孔の内側面から外側面に貫通して突出するピンガイド孔であって前記ピンを前記ホルダ貫通孔の外端から軸方向にガイドするピンガイド孔とを有し、前記内筒貫通孔に回転可能に支持された内筒、
（Ａ06）前記内筒のピンガイド孔を貫通して外側に突出する前記ピンの先端部を前記外筒の円周方向ガイド孔に沿って移動させて前記外筒に対して前記内筒を回転させたとき、前記球体部のホルダ貫通孔を開閉する仕切弁、
（Ａ07）前記回転部材をＸ軸周りに回転させることにより前記ホルダ内端部のＸ軸周りの位置を調節するＸ軸周り位置調節装置、
（Ａ08）前記外筒のＸＹ平面の揺動姿勢を調節することにより前記ホルダ内端部のＹ軸方向の位置を調節するＹ軸方向位置調節装置、
（Ａ09）前記外筒のＸＺ平面の揺動姿勢を調節することにより前記ホルダ内端部のＺ軸方向の位置を調節するＺ軸方向位置調節装置、
（Ａ010）前記内端側軸方向ガイド孔内の前記ピンの先端部のＸ軸方向の位置を調節することにより前記ホルダ内端部のＸ軸方向の位置を調節するＸ軸方向位置調節装置。
【発明の詳細な説明】
【０００１】
【発明の属する技術分野】
本発明は、電子顕微鏡装置等の荷電粒子線装置で使用する試料ホルダ、アパーチャホルダ（絞りホルダ）等の各種ホルダを支持するホルダ支持装置に関する。
【０００２】
【従来の技術】
前記ホルダ支持装置が記載されたものとして次の公報（Ｊ01），（Ｊ02）が従来公知である。
（Ｊ01）特開２０００−２６８７５８号公報
この公報に記載された電子顕微鏡の外壁（鏡筒）を貫通するホルダ支持部材２３の円筒壁２４には、その外端部に、試料ホルダＨのガイドピンＨ４およびスライダ５１を収容するスライダ収容溝２４ｃが形成されている。前記円筒壁２４に装着した試料ホルダＨはその外端に作用する大気圧により内端側に移動しようとするが、試料ホルダＨはその内端部に当接するホルダ内端位置決め駆動機構（Ｘ軸方向位置調節装置）によりホルダ軸方向の位置決めが行われる。
また、この公報には、前記大気圧により内端側に押される試料ホルダＨが、前記ホルダ内端位置決め機構（Ｘ軸方向位置調節装置）に加える圧力を軽減させるために、前記試料ホルダＨのガイドピンＨ４が係合するスライダ５１の内端側への移動を防止するバネ６３が記載されている。
【０００３】
（Ｊ02）特開平８−１２４５０８号公報に記載の技術
この公報には、仕切弁１０を開閉するためのピン２７を設けた試料保持用ロッド（ホルダ）２２を第３のパイプ１７に保持し、第３のパイプ１７に設けたシャフト５６のＸ軸方向の位置を制御することにより、第３のパイプ１７と一緒にＸ軸方向に移動する試料保持用ロッド２２の位置を調節するＸ軸駆動手段３０を有する試料保持装置（ホルダ支持装置）が記載されている。
【０００４】
【発明が解決しようとする課題】
（前記（Ｊ01）の問題点）
前記従来技術（Ｊ01）では、Ｘ軸方向位置調節装置（内端位置決め機構）に加わる圧力は軽減されるので、試料ホルダＨの高精度の位置調節が可能となるが、Ｘ軸方向位置調節装置をホルダ支持装置の反対側の外壁（鏡筒）に設けているので、透過型電子顕微鏡の場合、前記試料ホルダの周囲に他の付属装置、たとえば観察装置、分析装置等を取り付けるためのスペースが減少してしまう。
また、試料室スペースを大きく取る必要がある走査型電子顕微鏡、Ｘ線マイクロアナライザ、集束イオンビーム加工装置等では、ホルダ支持装置の対向面等にＸ軸方向位置調節装置を取り付けようとすると、ホルダ支持装置とＸ軸方向位置調節装置との距離が大きくなるため、製作が困難である。
【０００５】
（前記（Ｊ02）の問題点）
前記従来技術（Ｊ02）では、試料ホルダのＸ軸方向の位置決めを行うＸ軸方向位置調節装置は、他の位置調節装置と共にホルダ支持装置に設けられているので、前記（Ｊ01）の問題点は無い。しかしながら、第１のパイプ７、第２のパイプ１５、および第３のパイプ１７を使用し、前記第２のパイプ１５と第３のパイプ１７との間にベローズ１９を設けている。そして、試料保持用ロッド２２のピン２７で仕切弁（仕切弁）１０を開閉させ、第３のパイプ１７にシャフト５６を設けて、試料保持用ロッド２２の位置を調節しているので、試料保持装置（ホルダ支持装置）の構成が複雑である。
【０００６】
本発明は、前述の事情に鑑み、下記の記載内容（Ｏ01）を課題とする。
（Ｏ01）Ｘ軸方向に延びる円筒状のホルダが着脱可能で、前記ホルダの内端部の互いに直交する３軸であるＸ，Ｙ，Ｚ軸方向の位置調節およびＸ軸周りの回転位置調節、ならびに仕切弁の開閉を行える構成の簡素なホルダ支持装置を提供すること。
【０００７】
【課題を解決するための手段】
次に、前記課題を解決するために案出した本発明を説明するが、本発明の要素には、後述の実施例の要素との対応を容易にするため、実施例の要素の符号をカッコで囲んだものを付記する。
また、本発明を後述の実施例の符号と対応させて説明する理由は、本発明の理解を容易にするためであり、本発明の範囲を実施例に限定するためではない。
【０００８】
（本発明）
前記課題を解決するために、本発明のホルダ支持装置は、下記の構成要件（Ａ01）〜（Ａ010）を備えたことを特徴とする。
（Ａ01）互いに直交する前後方向のＸ軸、左右方向のＹ軸および上下方向のＺ軸の中の前記Ｚ軸に沿った荷電粒子線の通路の外側を囲むように配置され且つ内部が真空に保持された外壁（１１）、
（Ａ02）前記外壁（１１）をＸ軸方向に貫通し且つＸ軸回りに回転可能に支持された円筒状の回転部材（２２）、
（Ａ03）前記回転部材（２２）の内端側に配置され、前記Ｘ軸線を中心線とするホルダ貫通孔を有し且つ中心が前記Ｘ軸線上に有る球面軸受（１８）、
（Ａ04）内端部に試料保持部（Ｈ３）を有し外周面に突出したピン（Ｈ６）を有するホルダ（Ｈ）が回転およびスライド可能に貫通するホルダ貫通孔（２３ａ）を有し前記球面軸受（１８）により回転可能に支持された球体部（２３）と、ホルダ貫通孔（２６ａ）を有する内筒（２６）が回転可能に貫通し且つ前端部にシールリング装着溝（２４ｅ）が形成された内筒貫通孔（２４ａ）および前記ホルダ（Ｈ）のピン（Ｈ６）の先端部をガイドするピン先端ガイド孔（２４ｃ）とを有する円筒部（２４）とを備え、前記円筒部の前端部の外周部と球体部後端部の外周部とが気密に連結され前記円筒部の前端部の外周部および球体部後端部の外周部の内側に排気可能な予備排気室が形成され、前記回転部材（２２）により前記球面軸受（１８）の中心回りに上下方向および左右方向に回動可能且つＸ軸周りに回動可能に支持された外筒（２５）であって、
前記ピン先端ガイド孔（２４ｃ）は前記ピン（Ｈ６）の先端部を前記内筒貫通孔（２４ａ）の外端から軸方向にガイドする外端側軸方向ガイド孔（２４ｃ1）と円周方向にガイドする円周方向ガイド孔（２４ｃ2）と軸方向内端側にガイドする内端側軸方向ガイド孔（２４ｃ3）とが順次接続して形成された前記外筒（２５）、
（Ａ05）前記ホルダ（Ｈ）がスライドおよび回転可能に貫通するホルダ貫通孔（２６ａ）と、前記ホルダ貫通孔（２６ａ）に挿入される前記ホルダ（Ｈ）のピン（Ｈ６）が前記ホルダ貫通孔（２６ａ）の内側面から外側面に貫通して突出するピンガイド孔（２６ｃ）であって前記ピン（Ｈ６）を前記ホルダ貫通孔（２６ａ）の外端から軸方向にガイドするピンガイド孔（２６ｃ）とを有し、前記内筒貫通孔（２４ａ）に回転可能に支持された内筒（２６）、
（Ａ06）前記内筒（２６）のピンガイド孔（２６ｃ）を貫通して外側に突出する前記ピン（Ｈ６）の先端部を前記外筒（２５）の円周方向ガイド孔（２４ｃ2）に沿って移動させて前記外筒（２５）に対して前記内筒（２６）を回転させたとき、前記球体部（２３）のホルダ貫通孔（２３ａ）を開閉する仕切弁（２８）、
（Ａ07）前記回転部材（２２）をＸ軸周りに回転させることにより前記ホルダ（Ｈ）内端部のＸ軸周りの位置を調節するＸ軸周り位置調節装置（Ｄｔ）、
（Ａ08）前記外筒（２５）のＸＹ平面の揺動姿勢を調節することにより前記ホルダ（Ｈ）内端部のＹ軸方向の位置を調節するＹ軸方向位置調節装置（Ｄｙ）、
（Ａ09）前記外筒（２５）のＸＺ平面の揺動姿勢を調節することにより前記ホルダ（Ｈ）内端部のＺ軸方向の位置を調節するＺ軸方向位置調節装置（Ｄｚ）、
（Ａ010）前記内端側軸方向ガイド孔（２４ｃ3）内の前記ピン（Ｈ６）の先端部のＸ軸方向の位置を調節することにより前記ホルダ（Ｈ）内端部のＸ軸方向の位置を調節するＸ軸方向位置調節装置（Ｄｘ）。
【０００９】
（本発明の作用）
前記構成を備えた本発明のホルダ支持装置では、ホルダ（Ｈ）を内筒（２６）のホルダ貫通孔（２６ａ）に挿入し、ホルダ（Ｈ）のピン（Ｈ６）を、外筒（２５）の外端側軸方向ガイド孔（２４ｃ1）および内筒（２６）のピンガイド孔（２６ｃ）に挿入する。このとき、ピン（Ｈ６）は前記内筒（２６）のピンガイド孔（２６ｃ）を貫通してその先端部が前記外筒（２５）の外端側軸方向ガイド孔（２４ｃ1）に収容される。
前記ピン（Ｈ６）を、外端側軸方向ガイド孔（２４ｃ1）の内端まで挿入した状態では、前記予備排気室（Ｂ）は気密状態となる。この状態で前記予備排気室内を排気して、真空状態とする。その状態で、ホルダ（Ｈ）のピン（Ｈ６）を円周方向ガイド孔（２４ｃ2）に沿って回転させると、外筒（２５）の内筒貫通孔（２４ａ）内で内筒（２６）が回転し、球体部（２３）のホルダ貫通孔（２３ａ）を閉じている仕切弁（２８）が開く。そして、前記予備排気室（Ｂ）は前記電子ビームの通路に連通する。
次に、ホルダ（Ｈ）のピン（Ｈ６）を内筒（２６）のピンガイド孔（２６ｃ）と外筒（２５）の内端側軸方向ガイド孔（２４ｃ3）にガイドさせて真空を保ちながら前方に移動させ、ホルダ（Ｈ）内端部が球体部（２３）をホルダ貫通孔（２３ａ）に気密に嵌合させ且つ貫通させる。このときホルダ内端は、真空に保持された外壁（１１）内部のＺ軸に沿った荷電粒子線の通路に配置される。この状態では、ホルダ（Ｈ）の外端に作用する大気圧によりホルダ（Ｈ）およびそのピン（Ｈ６）は内端側に移動する力を受けている。
前記外筒（２５）に設けられたＸ軸方向位置調節装置（Ｄｘ）により、前記ホルダ（Ｈ）のピン（Ｈ６）の軸方向の位置を調節して前記ホルダ（Ｈ）内端部のＸ軸方向の位置を調節する。
【００１０】
前記筒状軸受部材（１７）に設けられたＸ軸周り位置調節装置（Ｄｔ）は、外壁（１１）をＸ軸方向に貫通し且つＸ軸回りに回転可能に支持された円筒状の回転部材（２２）をＸ軸周りに回転させる。このとき、前記回転部材（２２）に支持された外筒（２５）、内筒（２６）およびホルダ（Ｈ）はＸ軸回りに回転し、前記ホルダ（Ｈ）内端部のＸ軸周りの位置が調節される。
前記回転部材（２２）に設けられたＹ軸方向位置調節装置（Ｄｙ）は、回転部材（２２）の内端側に配置された球面軸受（１８）の中心回りに、前記外筒（２５）のＸＹ平面内の揺動姿勢を調節することにより前記ホルダ（Ｈ）内端部のＹ軸方向の位置を調節する。
前記回転部材（２２）に設けられたＺ軸方向位置調節装置（Ｄｚ）は、前記球面軸受（１８）の中心回りに、前記外筒（２５）のＸＺ平面内の揺動姿勢を調節することにより前記ホルダ（Ｈ）内端部のＺ軸方向の位置を調節する。
【００１１】
前記ホルダ（Ｈ）を外部に取り出す場合には、前述したのとは逆に、前記ホルダ（Ｈ）を外方に引き出して、ホルダ内端を前記球体部（２３）のホルダ貫通孔（２３ａ）よりも外側に移動させる。そして、前記内筒（２６）のピンガイド孔（２６ｃ）を貫通する前記ピン（Ｈ６）の先端部を前記外筒（２５）の円周方向ガイド孔（２４ｃ2）に沿って移動させると、前記外筒（２５）に対して前記内筒（２６）が回転して、前記仕切弁（２８）が球体部（２３）のホルダ貫通孔（２３ａ）を閉じる。
したがって、ピンガイド孔を有する内筒（２６）および外筒（２５）の２本の円筒部材（２５，２６）を使用して、ホルダ（Ｈ）のピン（Ｈ６）を円周方向に移動させることにより仕切弁（２８）の開閉を行えるとともに、ピン（Ｈ６）のＸ軸方向の位置を調節することによりホルダ（Ｈ）の内端部のＸ軸方向の位置調節を行うことができる。このため、Ｘ軸方向に延びる円筒状のホルダが着脱可能で、前記ホルダ（Ｈ）の内端部の互いに直交する３軸であるＸ，Ｙ，Ｚ軸方向の位置調節およびＸ軸周りの回転位置調節、ならびに仕切弁（２８）の開閉を行える構成の簡素なホルダ支持装置を提供することができる。
【００１２】
【発明の実施の形態】
（実施の形態１）
本発明のホルダ支持装置の実施の形態１は、前記本発明において下記の構成要件（Ａ011）〜（Ａ013）を備えたことを特徴とする。
（Ａ011）前記内端側軸方向ガイド孔（２４ｃ3）の外側面側に形成され且つ前記内端側軸方向ガイド孔（２４ｃ3）よりも幅広のスライダ溝（２４ｂ）、
（Ａ012）前記スライダ溝（２４ｂ）にスライド可能に収容され、前記外筒（２５）の内端側軸方向ガイド孔（２４ｃ3）内に移動した前記ピン（Ｈ６）の内端側の側面に係合するピン係合部（５１ａ）と位置決め係合部（５１ｃ）とを有するスライダ（５１）、
（Ａ013）前記外筒（２５）に支持されて前記位置決め係合部（５１ｃ）のＸ軸方向の位置を調節して前記スライダ（５１）のＸ軸方向の位置を調節することにより前記ホルダ（Ｈ）のＸ軸方向の位置を調節するＸ軸方向位置調節装置（Ｄｘ）。
【００１３】
（実施の形態１の作用）
前述の構成を備えた本発明のホルダ支持装置の実施の形態１では、外筒（２５）に支持されたＸ軸方向位置調節装置（Ｄｘ）は、前記スライダ（５１）の位置決め係合部（５１ｃ）のＸ軸方向の位置を調節することにより、前記スライダ（５１）を外筒（２５）のスライダ溝（２４ｂ）内でＸ軸方向に移動させてＸ軸方向の位置を調節する。このとき、スライダ（５１）のピン係合部（５１ａ）に係合するピン（Ｈ３）を有するホルダ（Ｈ）はＸ軸方向の位置が調節される。
【００１４】
【実施例】
次に図面を参照しながら、本発明の実施の形態の具体例（実施例）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、左方、右方、上方、下方、または、前側、後側、左側、右側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【００１５】
（実施例１）
図１は本発明の実施例１のホルダ支持装置を備えた透過型電子顕微鏡の要部平断面図である。
図２は前記図１のII−II線断面図である。
図３は本発明の実施例のホルダ支持装置の作用説明図である。
図４は前記図２のIＶ−IＶ線断面図である。
図５前記図２のＶ−Ｖ線断面図である。
図６は前記図２の矢印ＶIで示すホルダ支持装置の要部拡大図である。
図７は前記ホルダ支持装置の外筒、内筒、およびホルダを説明する図で、図７Ａは前記外筒の斜視図、図７Ｂは前記内筒の斜視図、 図７Ｃは前記ホルダの斜視図である。
図８は前記ホルダ支持装置で使用されるスライダの説明図で、図８Ａは前記スライダの断面図、図８Ｂは前記図８Ａの矢印ＶIIIＢから見た図、図８Ｃは前記図８ＡのＶIIIＣ−ＶIIIＣ線断面図である。
図９は前記スライダを保持するスライダ保持プレートの説明図で、図９Ａは前記スライダ保持プレートの平面図、図９Ｂは側面図で前記図９Ａの矢印IＸＢから見た図、図９Ｃは前記図９Ｂの矢印IＸＣから見た図である。
【００１６】
図１、図２において、透過型電子顕微鏡Ｍは、上下方向（Ｚ軸方向）に延びる鏡筒１０を有しており、鏡筒１０内部は真空に保持されている。前記鏡筒１０は円筒状外周面を有する磁性材料製ヨーク１１、およびヨーク１１内側に支持された略円筒状の非磁性材料製ゴニオステージＧｓを有している。なお、前記ヨーク１１は外壁の一部を構成している。
図２に示すように、前記ヨーク１１により、励磁コイル１３、電子通過孔を有する電子レンズ上磁極片１４および電子レンズ下磁極片１５が支持されている。ゴニオステージＧｓ内側で電子レンズ上磁極片１４と電子レンズ下磁極片１５との間には試料室Ａが形成されている。
【００１７】
図１、図２において、前記ヨーク１１およびゴニオステージＧｓの後側部分（−Ｘ側部分）に、前記ヨーク１１の外側と試料室Ａとを連通したゴニオメータ装着孔（筒状軸受部材装着孔）１１ａおよびゴニオメータ装着孔（球面軸受装着孔）Ｇｓ１がＸ軸と同軸に設けられている。前記ヨーク１１のゴニオメータ装着孔１１ａに前端の小径部分が挿入された筒状軸受部材１７は、後側フランジ部分がヨーク１１にボルト１９（図５参照）で固定されている。前記ゴニオステージＧｓのゴニオメータ装着孔Ｇｓ１には、球面軸受１８が嵌合、固定されており、この球面軸受１８には、Ｘ軸方向（前後方向）に延びるホルダ貫通孔が形成されており、前端部に球面座１８ａが設けられている。球面座１８ａの中心はＸ軸線上に配置されている。球面軸受１８の球面座１８ａにはＯリング溝１８ｂが設けられており、Ｏリング溝１８ｂには真空シール用Ｏリング２０が嵌め込まれている。
前記筒状軸受部材１７は、その円筒状内周面の軸がＸ軸に平行で、前記球面軸受１８の球面の中心（以後「球面中心」という）Ｏを通るように配置されている。
【００１８】
図１、図２において、前記筒状軸受部材１７の内周面には、一対のベアリング２１が装着されており、一対のベアリング２１により中空の回転部材２２がＸ軸周りに回転可能に支持されている。回転部材２２の内側には外筒貫通孔２２ａが形成されおり、外周にはギヤ２２ｃ（図５参照）が形成されている。
図２において、回転部材２２後部上側には、左右一対の押圧部材用支持部２２ｂ，２２ｂ（図４参照）が後方に延びている。
【００１９】
図１、図２において、前記球面軸受１８の球面座１８ａには球体部２３が球面中心Ｏ周りに回動可能に支持されており、球体部２３にはホルダ貫通孔２３ａが形成されている。球体部２３には円筒部２４がその前端部で一体に固定されており、球体部２３および円筒部２４により外筒２５が構成されている。前記球体部２３と円筒部２４の前端部とにより囲まれた空間は予備排気室Ｂとして構成されている。また、外筒２５の前記円筒部２４の内側には内筒貫通孔２４ａが形成されている。
図７Ａに示すように、外筒２５の前記円筒部２４後部上面の平坦部分には、スライダ収容溝２４ｂが軸方向に形成されている。円筒部２４には、後端（外端）から前端（内端）に向かって軸方向に形成された外端側軸方向ガイド孔２４ｃ1、この外端側軸方向ガイド孔２４ｃ1に直角に円周方向に形成された円周方向ガイド孔２４ｃ2、この円周方向ガイド孔２４ｃ2に直角に軸方向に形成された内端側軸方向ガイド孔２４ｃ3を順次連続した外側ガイド孔２４ｃが形成されている。なお、前記外側ガイド孔２４ｃは、スライダ収容溝２４ｂの底部に形成され且つ前記スライダ収容溝２４ｂの溝幅より狭く形成されている。円筒部２４の後部（−Ｘ部）には、円周方向ガイド孔２４ｃ2に沿って張出部２４ｄ，２４ｄ（図４参照）が左右両側に形成されており、これらの張出部２４ｄ，２４ｄは角柱状で、平坦な上面および下面を有している。前記内筒貫通孔２４ａの前端部にはシールリング装着溝２４ｅが形成されており、前記シールリング装着溝２４ｅにはシールリング（Ｏリング）２４ｆが装着されている。
【００２０】
図１、図２および図７Ｂにおいて、前記外筒２５の円筒部２４の内筒貫通孔２４ａには、内筒２６が回転可能に挿通されており、内筒２６の内側にはホルダ貫通孔２６ａが形成されている。内筒２６の前端部にはベベルギヤＧ′が設けられているとともに、後端（外端すなわち、−Ｘ端）から前端（内端すなわち、Ｘ端）に向かって軸方向にピンガイド孔２６ｃ（図７Ｂ参照）が設けられている。
【００２１】
図１に示すように、前記外筒２５の円筒部２４の内端部には、一対のピン２７が対向して設けられており、一対のピン２７の一方にはベベルギヤＧが回転可能に支持されている。また、一対のピン２７にはＵ字型のアーム２９の両端部が回転可能に支持されており、前記アーム２９の一端部は前記ベベルギヤＧと連結されている。
前記Ｕ字状のアーム２９の中間部には仕切弁（仕切弁）２８が支持されている（図２参照）。これにより、ベベルギヤＧが回転するとき、仕切弁２８が球体部２３のホルダ貫通孔２３ａを開閉する構成となっている。
【００２２】
図７Ｃにおいて、ホルダＨはホルダパイプＨ１の後端部（外端部）に操作用グリップＨ２が装着されているとともに、前端部（内端部）には板状の試料保持部Ｈ３が支持されている。前記試料保持部Ｈ３には試料（図示せず）を収容するための収容部Ｈ３ａが形成されている。前記ホルダパイプＨ１外周面には、Ｏリング溝Ｈ４（図１および図２参照）が設けられており、このＯリング溝Ｈ４には真空シール用ＯリングＨ５が嵌め込まれている。ホルダパイプＨ１外周面の略中央部にはピンＨ６が突出して設けられており、このピンＨ６は外筒２５の円筒部２４の外側ガイド孔２４ｃ、および内筒２６のピンガイド孔２６ｃに係合可能になっている。
前記真空シール用ＯリングＨ５およびシールリング２４ｆにより前記予備排気室Ｂは密封されており、図３に示す状態（仕切弁２８が閉じている状態）で、図示しない排気装置により真空に排気可能である。
なお、前記符号２５〜２９，Ｇ，Ｈで示された要素から仕切弁開閉機構が構成される。
【００２３】
（Ｘ軸周り位置調節装置Ｄｔ）
図２、図５において、前記筒状軸受部材１７の上端部には、ギヤホルダ３０が設けられている。ギヤホルダ３０には回転部材２２のギヤ２２ｃと噛み合うウォームギヤ３１（図５参照）が回転可能に支持されている。ギヤホルダ３１左側にはＸ軸周り駆動用モータ３２が設けられており、Ｘ軸周り駆動用モータ３２はウォームギヤ３１のギヤホルダ３０を貫通する軸の左端部に接続されている。
したがって、Ｘ軸周り駆動用モータ３２を正転または逆転方向に駆動すると、ギヤ２２ｃおよびウォームギヤ３１を介して回転部材２２がＸ軸周りに正転または逆転するようになっている。
なお、前記符号２２，３０，３１，３２で示された要素からＸ軸周り位置調節装置Ｄｔが構成される。
【００２４】
（Ｚ軸方向位置調節装置Ｄｚ）
図１、図２において、前記回転部材２２の後端部には、一対の軸３５，３５が対向して設けられており、これら一対の軸３５，３５は揺動部材３６（図４、図６参照）を揺動可能に支持する軸である。
図４において、前記揺動部材３６は左右方向（Ｙ軸方向）に延びる水平部分３６ａ、この水平部分３６ａの両端部に設けられた上方突出部分３６ｂ，３６ｂ、および水平部分３６ａの中央部で下方に突出した下方突出部分３６ｃ（図２参照）を有している。
前記一対の軸３５，３５は、前記上方突出部３６ｂ，３６ｂ（図４、図６参照）の上端部を貫通して、前記揺動部材３６を回転部材２２に回転可能に支持している。
図４、図６に示すように、揺動部材３６の上方突出部分３６ｂ，３６ｂの上端部に形成された球支持面に当接球３７が支持されており、これらの当接球３７が外筒２５の円筒部２４の張出部２４ｄ，２４ｄ下面にそれぞれ当接している。
【００２５】
図４において、前記回転部材２２の左右一対の押圧部材用支持部２２ｂ，２２ｂ（図４、図２参照）には、バネ支持筒３８ａ，３８ａが配設されており、バネ支持筒３８ａ，３８ａには圧縮バネ３８ｂ，３８ｂと、スライド可能な押圧部材３８ｃ．３８ｃが挿入されている。押圧部材３８ｃ，３８ｃは先端が圧縮バネ３８ｂ，３８ｂによって外筒２５の張出部２４ｄ，２４ｄ上面を押圧している。
なお、前記符号３８ａ，３８ｂ，３８ｃで示された要素から上下位置調節用押圧部材３８が構成される。
【００２６】
図２に示すように、前記回転部材２２後部下側には上下方向調節用モータ４１（図２、図４参照）が設けられており、上下方向調節用モータ４１の駆動軸には駆動ギヤ４２が固着されている。回転部材２２に形成されたネジ孔に上下方向調節用ネジ４３が螺合しており、上下方向調節用ネジ４３は後端（−Ｘ端）が前記揺動部材３６の下方突出部分３６ｃの前側面（Ｘ側面）に当接し、前端（Ｘ端）には前記駆動ギヤ４２と噛み合う従動ギヤ４４が固着されている。
【００２７】
前記上下方向調節用モータ４１を正転または逆転方向に駆動すると、駆動ギヤ４２および従動ギヤ４４を介して上下方向調節用ネジ４３が正転または逆転し、その回転方向に応じて進退移動する。
前記上下方向調節用ネジ４３の進退移動により、上下位置調節用押圧部材３８によって押圧されている外筒２５の張出部２４ｄ，２４ｄを支持している揺動部材３６を軸３５の周りに揺動させて、外筒２５を球面中心Ｏ周りに回動させ、ホルダＨの内端部を上下方向（Ｚ軸方向）に位置調節できる。
なお、前記符号３５〜３８，４１〜４４で示された要素からＺ軸方向位置調節装置Ｄzが構成される。
【００２８】
（Ｙ軸方向位置調節装置Ｄｙ）
図１において、前記回転部材２２の後部右側（−Ｘ側部分のＹ側）にはバネ収容部２２ｄが設けられており、バネ収容部２２ｄには筒状の押圧部材４５ａがスライド可能に挿入されている。押圧部材４５ａの先端部は、圧縮バネ４５ｂにより外筒２５後部の右側面を押圧している。
なお、前記符号４５ａ，４５ｂで示された要素から左右位置調節用押圧部材４５が構成される。
【００２９】
図１において、前記回転部材２２の後部左側には左右位置調節用モータ４６が設けられており、左右位置調節用モータ４６の駆動軸には駆動ギヤ４７が固着されている。回転部材２２に形成されたネジ孔には左右位置調節用ネジ４８が螺合されており、左右位置調節用ネジ４８はその右端が外筒２５後部（−Ｘ部）の左側面（−Ｙ側面）に当接している。左右位置調節用ネジ４８の左端には駆動ギヤ４７に噛み合う従動ギヤ４９が固着されている。
前記左右位置調節用モータ４６を正転または逆転方向に駆動すると、駆動ギヤ４７と従動ギヤ４９とを介して左右位置調節用ネジ４８が正転または逆転し、その回転方向に応じて進退移動する。
これにより、前記左右方向押圧部材４５によって右側面が押圧された外筒２５後部の左側面に当接する左右位置調節用ネジ４８を進退移動させて、外筒２５を前記球面中心Ｏ周りに回動させ、ホルダＨ内端部を左右方向（Ｙ軸方向）に位置調節できる。
なお、前記符号４５〜４９で示された要素からＹ軸方向位置調節装置Ｄyが構成される。
【００３０】
（Ｘ軸方向位置調節装置Ｄｘ）
図６において、前記外筒２５のスライダ収容溝２４ｂ（図７Ａ参照）にはスライダ５１がスライド可能に収容されている。
図８において、前記スライダ５１の下面には、後端から前端側のピン係合部５１ａまで前後方向に延びるピン移動用凹溝（ガイド溝）５１ｂが形成されている。前記スライダ５１上面の後部には、係止用突起部（位置決め係合部）５１ｃが設けられており、この係止用突起部５１ｃの前端側の面には鋼球、ルビー球等の球５２が固着されている。
図６に示すように、前記外筒２５のスライダ収容溝２４ｂにスライダ５１が収容された状態では、係止用突起部５１ｃは、前記外筒２５の外周面から突出している。
【００３１】
図６において、前記外筒２５上面の平坦な部分には、スライダ保持用プレート５３がネジ止めされており、スライダ保持用プレート５３は前記スライダ収容溝２４ｂ上端を塞いでいる。
図９において、前記スライダ保持用プレート５３は、長方形で長辺方向（Ｘ軸方向）に沿って複数の固定用ネジ孔５３ａが形成されているとともに、後端部に係止用突起部５１ｃの貫通する貫通孔５３ｂが形成されている。
図６に示すように、前記スライダ保持用プレート５３の貫通孔５３ｂには、スライダ収容溝２４ｂに収容されたスライダ５１の係止用突起部５１ｃが貫通しており、係止用突起部５１ｃが前後方向に所定の範囲内で移動できるようになっている。
【００３２】
図４に示すように、前記外筒２５の張出部２４ｄ，２４ｄにはテコ支持部材５９がネジ６０で固定されている。
図２、図６に示すように、テコ支持部材５９には、前後位置調節用モータ６１が設けられており、前後位置調節用モータ６１の駆動軸には駆動ギヤ６２が固着されている。前記テコ支持部材５９に形成されたネジ孔には前後位置調節用ネジ６３が螺合されており、前後位置調節用ネジ６３の上端には前記駆動ギヤ６２に噛み合う従動ギヤ６４が固着され、下端には当接球６５が固定されている。
【００３３】
図６において、前記テコ支持部材５９には軸５９ａが設けられており、軸５９ａにはテコ６６がＹ軸周りに回動可能に支持されている。前記テコ６６はその下部に下方に延びるテコ係止部６６ａ、その前部に前方に延びる球当接部６６ｂを有している。前記球当接部６６ｂには、前記前後位置調節用ネジ６３に固定された当接球６５が当接している。前後位置調節用モータ６１を正転または逆転方向に駆動すると、駆動ギヤ６２および従動ギヤ６４を介して前後位置調節用ネジ６３が正転または逆転し、その回転方向に応じて進退移動する。
これにより、前記前後位置調節用ネジ６３の進退移動により当接球６５をテコ６６の球当接部６６ｂに当接させてテコ６６を回動させ、背圧（外端に作用する大気圧）を受けたホルダＨによって前方に付勢されたスライダ５１の係止用突起部５１ｃの球５２をテコ係止部６６ａで押圧することにより、スライダ５１を前後方向に移動させて、ホルダＨの内端部を前後方向（Ｘ軸方向）に位置調節できる。
なお、前記符号５１〜５３，５９〜６６で示された要素からＸ軸方向位置調節装置Ｄｘが構成される。前記符号２２〜２９，Ｇ，Ｄｔ，Ｄｘ，Ｄｙ，Ｄｚ等で示された要素によりホルダ支持装置Ｈｓが構成される。
【００３４】
（実施例１の作用）
前記ホルダＨを内筒２６のホルダ貫通孔２６ａに挿入し、ピンＨ６を外筒２５の軸方向ガイド孔２４ｃ1と内筒２６のピンガイド孔２６ｃに挿入して移動させると、ピンＨ６は軸方向ガイド孔２４ｃ1の内端（円周方向ガイド孔２４ｃ2との接続部）に当たる（図３参照）。
この状態では、仕切弁２８が閉じられて、試料室Ａは真空に保持されている。この位置で図示しない真空粗引き用スイッチをオンにして試料予備排気室Ｂを真空排気する。真空が十分な状態になってから、前記ホルダＨの操作用グリップＨ２を回して、ピンＨ６を外筒２５の円周方向ガイド孔２４ｃ2に沿って移動させると、外筒２５内で内筒２６が回転する。この際、ベベルギヤＧ′がベベルギヤＧを回転して、仕切弁２８が球体部２３のホルダ貫通孔２３ａを開く。
【００３５】
前記球体部２３のホルダ貫通孔２３ａが開いた状態では、背圧（外端に作用する大気圧）を受けたホルダＨは、ピンＨ６が外筒２５の内端側軸方向ガイド孔２４ｃ3、内筒２６のピンガイド孔２６ｃおよびスライダ５１のピン移動用凹溝５１ｂをガイドされて内方に移動し、ピンＨ６がピン係合部５１ａ（図６参照）に係合する。
このとき、ホルダパイプＨ１が球体部２３のホルダ貫通孔２３ａに挿通され、球体部２３のホルダ貫通孔２３ａとホルダパイプＨ１とはＯリングＨ５で真空シールされ、試料室Ａは真空に保持される。この状態では、ホルダＨの内端部の試料保持部Ｈ３は真空試料室Ａ内に配置される。
ホルダＨを前記内筒２６のホルダ貫通孔２６ａから外部に引き出す際には、前記挿入時と逆の操作を行う。
【００３６】
前記Ｘ軸方向位置調節装置Ｄｘの前後位置調節用モータ６１を駆動して、前後位置調節用ネジ６３を進退移動させてテコ６６を回動させると、スライダ５１は前後方向に移動して、ホルダＨの内端部の前後方向の位置が調節される。
前記Ｘ軸周り位置調節装置ＤｔのＸ軸周り駆動用モータ３２（図５参照）を駆動して回転部材２２をＸ軸周りに回転させると、ホルダＨはＸ軸周りに回転して回転位置が調節される。
前記Ｚ軸方向位置調節装置Ｄｚの上下方向調節用モータ４１を駆動して外筒２５を球面中心Ｏ周りに回動させると、ホルダＨの内端部は上下方向に位置調節される。
前記Ｙ軸方向位置調節装置Ｄｙの左右位置調節用モータ４６を駆動して外筒２５を球面中心Ｏ周りに回動させると、ホルダＨ内端部は左右方向に位置調節される。
【００３７】
この実施例１では、仕切弁２８の開閉に用いるピンＨ６をホルダＨ内端部の前後方向（Ｘ軸方向）位置調節にも用いることにより、Ｘ軸方向に延びる円筒状のホルダが着脱可能で、前記ホルダの内端部の互いに直交する３軸であるＸ，Ｙ，Ｚ軸方向の位置調節およびＸ軸周りの回転位置調節、ならびに仕切弁の開閉を行える構成の簡素なホルダ支持装置Ｈｓを提供することができる。
したがって、試料室Ａの周囲に観察装置、分析装置等の付属装置を取り付けることができるとともに、試料室の大型化にも対応できる。
【００３８】
（実施例２）
図１０は本発明の実施例２のホルダ支持装置の平断面図である。
なお、この実施例２の説明において、前記実施例１の構成要素に対応する構成要素には同一の符号を付して、その詳細な説明を省略する。
図１０において、大きいスペースを有する真空チャンバ６８は、平断面図でＵ字状側壁６９および平面状側壁７０を備えている。平面状側壁７０には、球面軸受装着孔７０ａと筒状軸受部材装着孔７０ｂとが設けられており、前記各軸受装着孔７０ａおよび７０ｂには球面軸受１８および筒状軸受部材１７がそれぞれ嵌合され、固定されている。
前記球面軸受１８には外筒２５の球体部２３が回転可能に支持され、前記筒状軸受部材１７には回転部材２２が回転可能に支持されている。
この実施例２のホルダ支持装置Ｈｓは、前記実施例１と同様の符号２２〜２９，Ｇ，Ｄｔ，Ｄｘ，Ｄｙ，Ｄｚ等で示された要素によりに構成されており、また、仕切弁２８の開閉に用いるピンＨ６をホルダＨ内端部の前後方向（Ｘ軸方向）位置調節に使用している。したがって、この実施例２は前記実施例１と同様に、Ｘ軸方向に延びる円筒状のホルダＨが着脱可能で、前記ホルダの内端部の互いに直交する３軸であるＸ，Ｙ，Ｚ軸方向の位置調節およびＸ軸周りの回転位置調節、ならびに仕切弁の開閉を行える構成の簡素なホルダ支持装置Ｈｓを提供することができる。
このため、真空チャンバ６８の周りに多数の付属装置を取り付けることができる。また、前記ホルダ支持装置Ｈｓは大型試料も装着する走査型電子顕微鏡、Ｘ線マイクロアナライザ、集束イオンビーム加工装置等の試料室スペースを大きく取る必要がある真空雰囲気中で使用する装置にも使用できる。
【００３９】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更実施例を下記に例示する。
（Ｈ01）前記実施例では、スライダ５１をテコ６６を介して前後位置調節用モータ６１で移動させるようにしたが、これに代えて、スライダ５１をモータで直接移動させるように構成することも可能である。
（Ｈ02）本発明のホルダ支持装置Ｈｓは、透過型電子顕微鏡、走査型電子顕微鏡、Ｘ線マイクロアナライザ、および集束イオンビーム加工装置以外の荷電粒子線装置にも適用可能である。
【００４０】
【発明の効果】
前述の本発明のホルダ支持装置は、下記の効果を奏することができる。
（Ｅ01）Ｘ軸方向に延びる円筒状のホルダが着脱可能で、前記ホルダの内端部の互いに直交する３軸方向であるＸ，Ｙ，Ｚ軸方向の位置調節およびＸ軸周りの回転位置調節、ならびに仕切弁の開閉を行える構成の簡素なホルダ支持装置を提供することができる。
【図面の簡単な説明】
【図１】  図１は本発明の実施例１のホルダ支持装置を備えた透過型電子顕微鏡の要部平断面図である。
【図２】  図２は前記図１のII−II線断面図である。
【図３】  図３は本発明の実施例のホルダ支持装置の作用説明図である。
【図４】  図４は前記図２のIＶ−IＶ線断面図である。
【図５】  図５前記図２のＶ−Ｖ線断面図である。
【図６】  図６は前記図２の矢印ＶIで示すホルダ支持装置の要部拡大図である。
【図７】  図７は前記ホルダ支持装置の外筒、内筒、およびホルダを説明する図で、図７Ａは前記外筒の斜視図、図７Ｂは前記内筒の斜視図、 図７Ｃは前記ホルダの斜視図である。
【図８】  図８は前記ホルダ支持装置で使用されるスライダの説明図で、図８Ａは前記スライダの断面図、図８Ｂは前記図８Ａの矢印ＶIIIＢから見た図、図８Ｃは前記図８ＡのＶIIIＣ−ＶIIIＣ線断面図である。
【図９】  図９は前記スライダを保持するスライダ保持プレートの説明図で、図９Ａは前記スライダ保持プレートの平面図、図９Ｂは側面図で前記図９Ａの矢印IＸＢから見た図、図９Ｃは前記図９Ｂの矢印IＸＣから見た図である。
【図１０】  図１０は本発明の実施例２のホルダ支持装置の平断面図である。
【符号の説明】
Ｂ…予備排気室、Ｄｔ…Ｘ軸周り位置調節装置、Ｄｘ…Ｘ軸方向位置調節装置、Ｄｙ…Ｙ軸方向位置調節装置、Ｄｚ…Ｚ軸方向位置調節装置、Ｈ…ホルダ、Ｈ３…試料保持部、Ｈ６…ピン、Ｈｓ…ホルダ支持装置、Ｇｓ１…球面軸受装着孔、１１ａ…円筒状軸受部材装着孔、１１…外壁、１７…筒状軸受部材、１８…球面軸受、２２…回転部材、２２ａ…外側円筒部貫通孔、２３…球体部、２３ａ…ホルダ貫通孔、２４…円筒部、２４ａ…内筒貫通孔、２４ｃ…外側ガイド孔、２４ｃ1…外端側軸方向ガイド孔、２４ｃ2…円周方向ガイド孔、２４ｃ3…内端側軸方向ガイド孔、２５…外筒、２６…内筒、２６ａ…ホルダ貫通孔、２６ｃ…ピンガイド孔、２８…仕切弁。
【図１】
0003986778.tif 000002
【図２】
0003986778.tif 000003
【図３】
0003986778.tif 000004
【図４】
0003986778.tif 000005
【図５】
0003986778.tif 000006
【図６】
0003986778.tif 000007
【図７】
0003986778.tif 000008
【図８】
0003986778.tif 000009
【図９】
0003986778.tif 000010
【図１０】
0003986778.tif 000011